(57)【特許請求の範囲】
【請求項１】
１以上の入力ポートから受信したCBR信号をパケット信号に変換するパケット化手段と、
前記受信したCBR信号のクロックを抽出するクロック情報処理手段と、
前記変換されたパケット信号を１以上の出力ポートにルーティングするパケットスイッチ手段と、
前記抽出されたクロックを用いて、前記ルーティングされたパケット信号をCBR信号に復元する逆パケット化手段と、
を有するクロスコネクト装置。
【請求項２】
前記パケット化手段は、前記１以上の入力ポートに対応して１以上のパケット化部を有し、
前記逆パケット化手段は、前記１以上の出力ポートに対応して１以上の逆パケット化部を有する、請求項１記載のクロスコネクト装置。
【請求項３】
前記クロック情報処理手段は、前記受信したCBR信号のルーティング先の逆パケット化部に前記抽出したクロックを出力するクロックスイッチ部から構成される、請求項２記載のクロスコネクト装置。
【請求項４】
前記クロックスイッチ部は、前記１以上のパケット化部に対応して設けられる１以上のクロック分配部と、前記１以上の逆パケット化部に対応して設けられる１以上のクロック選択部と、前記１以上のパケット化処理部に接続される切替制御部とから構成され、
前記クロック分配部は、対応する前記パケット化部が受信したCBR信号のクロックを前記１以上のクロック選択部に分配し、
前記切替制御部は、前記１以上のパケット化処理部から各パケット信号のルーティング元とルーティング先とを示す切替制御信号を受信し、前記切替制御信号に従って前記１以上のクロック選択部を制御し、
前記クロック選択部は、前記切替制御部による制御に従って、前記１以上のクロック選択部から分配されたクロックを対応する前記逆パケット化部に出力する、請求項３記載のクロスコネクト装置。
【請求項５】
前記クロック情報処理手段は、前記抽出したクロックから周波数情報を生成し、前記パケット化手段により変換されたパケット信号に前記周波数情報を付加する周波数情報付加部から構成され、
前記逆パケット化手段は、前記付加された周波数情報を用いて、前記ルーティングされたパケット信号をCBR信号に復元する、請求項１記載のクロスコネクト装置。
【請求項６】
前記周波数情報付加部は、前記抽出したクロックと当該クロスコネクト装置の共通クロックとの周波数偏差を検出し、前記検出した周波数偏差から前記周波数情報を生成する周波数偏差検出部を有し、
前記逆パケット化手段は、前記パケット信号に付加された周波数情報の周波数偏差から、前記共通クロックを参照して前記クロックを再生するクロック再生部を有する、請求項５記載のクロスコネクト装置。
【請求項７】
前記周波数情報付加部は、前記パケット信号の各パケットのヘッダに、前記パケット信号の所定数毎のパケットのヘッダに、又は前記パケット信号の所定のパケットに前記周波数情報を格納する、請求項５又は６記載のクロスコネクト装置。
【請求項８】
前記クロック情報処理手段は、所定の期間において前記パケット信号に格納されているデータ数をカウントし、周波数偏差に応じた制御信号を生成するデータカウント部と、前記データカウント部から受信した制御信号に応じて、当該クロスコネクト装置の共通クロックを用いて前記クロックを再生するクロック再生部とを有し、
前記逆パケット化手段は、前記再生されたクロックを用いて、前記ルーティングされたパケット信号をCBR信号に復元する、請求項１記載のクロスコネクト装置。
【請求項９】
前記データカウント部は、
前記共通クロックをカウントする第１カウンタと、
前記第１カウンタからの測定開始指示に応答して、前記パケット信号に格納されているデータ数をカウントする第２カウンタと、
前記第２カウンタによりカウントされたデータ数と所定の参照値とを比較し、検出された周波数偏差に応じて前記制御信号を生成するコンパレータと、
を有する、請求項８記載のクロスコネクト装置。
【発明の詳細な説明】
【技術分野】
【０００１】
本発明は、パケット伝送技術に関し、より詳細にはクロスコネクト装置に関する。
【背景技術】
【０００２】
ICT（Information  and  Communication  Technology）サービスの利用拡大に伴って、近年インターネットトラフィックの増大が進んでいる。増加し続けるインターネットトラフィックを効率よく広域に転送することが可能な、バックボーンネットワークの基本プラットフォームとしてOTN（Optical  Transport  Network）（非特許文献１）が国際標準化技術としてITU-T（International  Telecommunication  Union  Telecommunication  Standardization  Sector）で規定されている。OTNは強固な監視機能を持ち、クライアント信号を高信頼に広域で転送することが可能である。
【０００３】
OTNはバックボーンネットワークに広く普及しているSDH／SONET（Synchronous  Digital  Hierarchy／Synchronous  Optical  NETwork)やLANやWAN等で広く利用されているEthernet（登録商標）の収容を考慮した規定が従来なされていたが、より柔軟に多様なクライアント信号を収容するためODUflex（Optical  Channel  Data  Unit）と呼ばれる新たな規定が近年設けられた。従来はODU0，ODU1，ODU2，ODU2e，ODU3，ODU4といったビットレートが固定的なフレームに収容されていたが、ODUflexは1.25  Gbit/s単位のペイロード容量をクライアント信号に提供することが可能であり、近い将来出現するであろうクライアント信号への柔軟性を高めた規定になっている。今後は伝送容量の増加に伴って一波長あたりに収容されるODUフレーム信号の多様化も進み、例えば100G波長OTU4（Optical  Channel  Transport  Unit）には先述した固定的なペイロード容量を持つODUフレームと1.25 Gbit/s単位のODUflexフレームが混在して収容されることになり、このような多様なODUフレームを効率よく転送する技術が必要である。
【０００４】
このような状況下で、効率よく経済的にネットワークを構築するためクロスコネクト装置（ODUクロスコネクト装置）の開発が現在活発化している。ODUクロスコネクト装置は任意の方路にODUパスを切換えることが可能であり、最適な方路にODUパスを切換えることで利用する波長数の削減し、効率的なネットワークの運用・管理が可能になる。
【０００５】
現在このようなODUクロスコネクト装置にコアルータ等の技術で熟成したスイッチファブリックを搭載する検討がなされている。コアルータ等に用いられているパケットスイッチのファブリックをそのままODUクロスコネクト装置に適用することによって、開発期間の短縮と装置の低コスト化を図ることが可能になる。
【先行技術文献】
【特許文献】
【０００６】
【特許文献１】特表２００５−５２０３７５
【非特許文献】
【０００７】
【非特許文献１】ITU-T  Recommendation  G.709  "Interfaces  for  the  Optical  Transport  Network  (OTN)"
【発明の概要】
【発明が解決しようとする課題】
【０００８】
図１は、従来技術によるパケットスイッチを用いたクロスコネクト装置の基本構成を示す。図示されるクロスコネクト装置は、ネットワーク側インタフェースである受信部と、固定ビットレートのCBR（Constant  Bit  Rate）信号をパケット化するパケット化部と、パケット信号をスイッチするパケットスイッチ部と、パケット信号からCBR信号を復元する逆パケット化部と、ネットワーク側インタフェースである送信部とからなる。通常、CBR信号からパケット信号に変換する際に独立のクロックを用いてパケット化処理を行なうため、パケット化処理時にCBR信号の周波数情報が失われてしまい、パケット信号からCBR信号を再生する際にクロックを復元することが困難になる（図１の網掛けはクロックのドメインを示す)。
【０００９】
特許文献１では、パケットスイッチのファブリックを用いたTDMクロスコネクト装置のアーキテクチャが示されている。これは、従来のTDMスイッチとパケットスイッチを組み合わせたシステムであり、既存のTDMスイッチに少なくとも2つのパケット交換ラインカードを組み込んで、既存インフラのTDMクロスコネクトでフィルタリング、整形、監視、転送及びスケジューリングを行なう方法が提供されている。しかしながら、特許文献１では、CBR信号とパケット信号との間のクロックを復元する具体的な方法は、記載されていない。
【００１０】
従って、本発明は、パケットスイッチを用いたクロスコネクト装置において、パケット化処理前後でCBR信号のクロック再生が可能なクロスコネクト装置を提供することを目的とする。
【課題を解決するための手段】
【００１１】
上記課題を解決するため、本発明の一態様は、１以上の入力ポートから受信したCBR信号をパケット信号に変換するパケット化手段と、前記受信したCBR信号のクロックを抽出するクロック情報処理手段と、前記変換されたパケット信号を１以上の出力ポートにルーティングするパケットスイッチ手段と、前記抽出されたクロックを用いて、前記ルーティングされたパケット信号をCBR信号に復元する逆パケット化手段とを有するクロスコネクト装置に関する。
【発明の効果】
【００１２】
本発明によると、パケットスイッチを用いたクロスコネクト装置において、パケット化処理前後でCBR信号のクロック再生が可能なクロスコネクト装置を提供することができる。
【図面の簡単な説明】
【００１３】
【図１】図１は、従来のクロスコネクト装置の構成を示す。
【図２】図２は、本発明の第１実施例によるクロスコネクト装置の構成を示す。
【図３】図３は、図２のクロスコネクト装置の受信部及び送信部の構成を示す。
【図４】図４は、図２のクロスコネクト装置のパケット化部及び逆パケット化部の構成を示す。
【図５】図５は、図２のクロスコネクト装置のパケットスイッチ部の構成を示す。
【図６】図６は、図２のクロスコネクト装置のクロススイッチ部の構成を示す。
【図７】図７は、本発明の第２実施例によるクロスコネクト装置の構成を示す。
【図８】図８は、図７のクロスコネクト装置の構成を詳細に示す。
【図９】図９は、周波数情報を格納するための各種方法を示す。
【図１０】図１０は、本発明の第３実施例によるクロスコネクト装置の構成を示す。
【図１１】図１１は、図１０のクロスコネクト装置の構成を詳細に示す。
【発明を実施するための形態】
【００１４】
以下、図面に基づいて本発明の実施の形態を説明する。
【００１５】
本発明によるクロスコネクト装置は、パケット化処理前の固定ビットレートのCBR（Constant  Bit  Rate）信号のクロック情報を抽出する手段を新たに設け、そのクロック情報に基づき逆パケット処理時にCBR信号のクロックを再生する。より具体的には、以下の３つの実施例によるクロスコネクト装置によって、CBR信号のクロックを再生することができる。
【００１６】
まず、図２〜６を参照して、本発明の第１実施例によるクロスコネクト装置を説明する。本実施例では、クロスコネクト装置は、クロック用スイッチを利用してCBR信号のクロックを再生する。
【００１７】
図２に示されるように、クロスコネクト装置１００は、１以上の受信部１１０（１１００，１１０１，１１０２，・・・）と、１以上のパケット化部１２０（１２００，１２０１，１２０２，・・・）と、パケットスイッチ部１３０と、１以上の逆パケット化部１４０（１４００，１４０１，１４０２，・・・）と、１以上の送信部１５０（１５００，１５０１，１５０２，・・・）と、クロックスイッチ部１６０とを有する。
【００１８】
受信部１１００，１１０１，１１０２，・・・は、クロスコネクト装置１００の各ポートに対応して設けられる。図示された実施例では、1つの受信部１１０に対して1つのパケット化部１２０が接続されている構成になっているが、受信部１１０にて多重されているCBR信号を分離し、１以上のCBR信号を出力するときは、1つの受信部１１０に対して1以上のパケット化部１２０が接続される構成になる。各受信部１１０は、伝送路又は別の装置パッケージから光信号を受信し、受信した光信号を光電変換して１以上の電気信号のCBR信号をパケット部１２０に出力する。より詳細には、受信部１１０は、図３に示されるように、伝送路からの光信号を受信して、光信号から電気信号に変換する光電変換部１１２と、変換された電気信号のCBR信号に対してデマッピング処理を実行して、１以上のCBR信号に分離するフレーマ・分離機能部１１４とを有する。フレーマ・分離機能部１１４により生成されたCBR信号は、対応するパケット化部１２０に出力される。
【００１９】
パケット化部１２００，１２０１，１２０２，・・・は、パケットスイッチ部１３０の各ポートに対応して設けられる。各パケット化部１２０は、対応する受信部１１０から１以上のCBR信号を受信し、受信したCBR信号に基づきパケット信号を生成すると共に、受信したCBR信号のクロックを抽出する。より詳細には、パケット化部１２０は、図４に示されるように、受信部１１０から受信した１以上のCBR信号をパケット信号に変換し、生成したパケット信号をパケットスイッチ部１３０に出力するパケット化処理部１２２と、受信部１１０から受信した１以上のCBR信号のクロックを抽出し、生成したクロック信号をクロックスイッチ部１６０に出力するクロック抽出部１２４とを有する。なお、パケット化部にてCBR信号のクロックを抽出しているが、受信部でCBR信号のクロックを抽出してもよい。
【００２０】
パケットスイッチ部１３０は、１以上の入力ポートと１以上の出力ポートとを有する（Port0，Port1，Port2，・・・）。パケットスイッチ部１３０は、入力ポートを介し各パケット化部１２０から受信したパケット信号をルーティングして、任意の出力ポートに出力する。なお、パケットスイッチ部１３０は、任意の出力ポートではなく、特定の出力ポートにだけ出力するものであってもよい。より詳細には、パケットスイッチ部１３０は、図５に示されるように、パケット化部１２０から受信したパケット信号をモニタリングし、必要に応じてパケットのヘッダ内部の書き換え等を行なう入出力処理部１３２と、パケットのヘッダ内のアドレス情報に従って、宛先ポートにパケット信号をルーティングする中継処理部１３４と、中継処理部１３４から受信したパケット信号をモニタリングし、必要に応じてパケットのヘッダ内部の書き換えを行って、指定された宛先ポートに出力する入出力処理部１３４とを有する。典型的には、これらの処理は、ＣＰＵ（Ｃｅｎｔｒａｌ  Ｐｒｏｃｅｓｓｉｎｇ  Ｕｎｉｔ）などにより実行される。
【００２１】
クロックスイッチ部１６０は、各パケット化部１２０からCBR信号のクロック信号を受信し、これら受信したクロック信号から各逆パケット化部１４０に対して適切なクロック信号を選択し、選択したクロック信号を当該逆パケット化部１４０に出力する。より詳細には、クロックスイッチ部１６０は、図６に示されるように、クロスコネクト装置１００のポートに対応して設けられた１以上のクロック分配部１６２（１６２０，１６２１，１６２２，・・・）と、切替制御部１６４と、クロスコネクト装置１００のポートに対応して設けられた１以上のクロック選択部１６６（１６６０，１６６１，１６６２，・・・）とを有する。
【００２２】
各クロック分配部１６２は、対応するパケット化部１２０から受信したCBR信号のクロック信号を各クロック選択部１６６に分配する。ここで、クロック選択部１６６は、受信したクロック信号が何れのポートに対応するクロック分配部１６２から出力されたものであるか認識している。
【００２３】
切替制御部１６４は、各パケット化部１２０から受信した切替制御信号に従って、各クロック選択部１６６のクロック選択を制御する。具体的には、各パケット化部１２０は、当該パケット化部１２０から出力されるパケット信号が何れの逆パケット化処理部１４０にスイッチされるべきかを示す情報、すなわち、各パケット信号の転送元のパケット化部１２０と転送先の逆パケット化部１４０とを示す情報を切替制御信号として切替制御部１６４に出力する。切替制御部１６４は、受信した切替制御信号に基づき各クロック選択部１６６を制御して、クロック選択部１６６に各クロック分配部１６２から受信したクロック信号から、各パケット信号の転送元のパケット化部１２０と転送先の逆パケット化部１４０とを示す情報に対応するクロック信号を選択させ、逆パケット化部１４０に出力させる。
【００２４】
図示された実施例では、切替制御部１６４は、パケット化処理部１２２から切替制御信号を取得しているが、パケットスイッチ部１３０の入出力処理部１３２，１３６又は中継処理部１３４から各パケットのヘッダ内のアドレス情報を取得して、各パケット信号の転送元のパケット化部１２０と転送先の逆パケット化部１４０とを確認し、これに基づき各クロック選択部１６６のクロック選択を制御してもよい。
【００２５】
逆パケット化部１４００，１４０１，１４０２，・・・は、パケットスイッチ部１３０の各ポートに対応して設けられる。各逆パケット化部１４０は、クロックスイッチ部１３０からパケット信号を受信し、さらにクロックスイッチ部１６０からクロック信号を受信し、受信したクロック信号を用いて受信したパケット信号からCBR信号を復元する。より詳細には、逆パケット化部１４０は、図４に示されるように、逆パケット化処理部１４２を有し、受信したパケット信号とクロック信号とに基づきCBR信号を生成し、生成したCBR信号を対応する送信部１５０に出力する。
【００２６】
送信部１５００，１５０１，１５０２，・・・は、クロスコネクト装置１００の各ポートに対応して設けられる。図示された実施例では、1つの送信部１５０に対して1つの逆パケット化部１４０が接続されている構成になっているが、複数のCBR信号を多重し別の装置パッケージに送信する場合は、1つの送信部１５０に対して1以上の逆パケット化部１４０が接続される構成になる。各送信部１５０は、対応する逆パケット化部１４０から受信した電気信号のCBR信号を光信号に変換し、伝送路又は別の装置パッケージに送信する。より詳細には、送信部１５０は、図３に示されるように、対応する逆パケット化部１４０から受信した１以上の電気信号のCBR信号に対して多重化及びフレーム処理などの各種処理を実行するフレーマ・多重機能部１５２と、生成された電気信号のCBR信号を光信号に変換する光電変換部１５４とを有する。生成された光信号は、対応するポートから送信される。
【００２７】
本実施例によると、CBR信号のクロック再生を行なうため、クロスコネクト装置１００は、パケット化部１２０において各CBR信号をパケット化する際にクロック信号を抽出し、クロススイッチ部１６０においてこれらのクロック信号を適切に切り替え、逆パケット化部１４０において各CBR信号を逆パケット化する際にクロック信号を復元することが可能となる。
【００２８】
次に、図７〜９を参照して、本発明の第２実施例によるクロスコネクト装置を説明する。本実施例では、クロスコネクト装置は、パケット処理前のクロックを示す周波数情報をパケットに含めることによってCBR信号のクロックを再生する。
【００２９】
図７に示されるように、クロスコネクト装置２００は、１以上の受信部２１０（２１００，２１０１，２１０２，・・・）と、１以上のパケット化部２２０（２２００，２２０１，２２０２，・・・）と、パケットスイッチ部２３０と、１以上の逆パケット化部２４０（２４００，２４０１，２４０２，・・・）と、１以上の送信部２５０（２５００，２５０１，２５０２，・・・）とを有する。なお、受信部２１０と、パケットスイッチ部２３０と、送信部２５０とは、上述した第１実施例の受信部１１０と、パケットスイッチ部１３０と、送信部１５０と同様の構成及び動作を有するため、重複する説明は省く。
【００３０】
パケット化部２２００，２２０１，２２０２，・・・は、パケットスイッチ部２３０の各ポートに対応して設けられる。各パケット化部２２０は、対応する受信部２１０からCBR信号を受信する。受信したCBR信号からパケット信号を生成する際に、パケット化部２２０は、CBR信号のクロックから周波数情報を生成し、この周波数情報をパケット信号に付加してパケットスイッチ部２３０に出力する。より詳細には、パケット化部２２０は、図８に示されるように、パケット化処理部２２２と周波数偏差検出部２２４とを有する。パケット化処理部２２２は、受信部２１０から受信したCBR信号をパケット信号に変換する。周波数偏差検出部２２４は、受信部２１０から受信したCBR信号のクロックとクロスコネクト装置２００内の共通クロックとの周波数偏差を検出し、検出した周波数偏差を周波数情報としてパケット化処理部２２２に出力する。パケット化処理部２２２は、生成したパケット信号に周波数偏差検出部２２４から受信した周波数情報を付加して、パケットスイッチ部２３０に出力する。
【００３１】
ここで、パケット信号に周波数情報を付加する方法として、例えば、図９に示されるようなものがある。図９（ａ）に示されるように、周波数情報はパケット信号に含まれる各パケットのヘッダに挿入されるようにしてもよい。また、図９（ｂ）に示されるように、周波数情報はパケット信号の特定のパケットのヘッダに挿入されるようにしてもよい。この場合、例えば、いくつかのパケット毎に周期的に周波数情報が挿入されてもよい。さらに、図９（ｃ）に示されるように、周波数情報のみを格納したパケットを生成し、他のパケットより高い優先度を設定するようにしてもよい。本発明は、上述した付加方法に限定されるものでなく、他の何れか適切な付加方法を利用してもよい。
【００３２】
パケットスイッチ部２３０は、周波数情報が付加されたパケット信号をモニタリングし、パケットのヘッダ内のアドレス情報に従って宛先ポートに周波数情報が付加されたパケット信号をルーティングし、対応する逆パケット化部２４０に出力する。
【００３３】
逆パケット化部２４００，２４０１，２４０２，・・・は、パケットスイッチ部２３０の各ポートに対応して設けられる。各逆パケット化部２４０は、パケットスイッチ部２３０から周波数情報が付加されたパケット信号を受信し、周波数情報からCBR信号のクロックを再生して、再生したクロックを用いて受信したパケット信号からCBR信号を復元する。より詳細には、逆パケット化部２４０は、図８に示されるように、クロック再生部２４２と逆パケット化処理部２４４とを有する。クロック再生部２４２は、パケットスイッチ部２３０から受信したパケット信号から周波数情報を抽出する。その後、クロック再生部２４２は、抽出した周波数情報の周波数偏差とクロスコネクト装置２００内の共通クロックとに基づきCBR信号のクロックを再生し、逆パケット化処理部２４４に出力する。逆パケット化処理部２４４は、クロック再生部２４２から受信したCBR信号のクロックを用いて、パケットスイッチ部２３０から提供されたパケット信号から、クロックが復元されたCBR信号を生成する。
【００３４】
本実施例によると、CBR信号のクロック再生を行なうために、クロスコネクト装置２００は、パケット化部２２０において各CBR信号から生成したパケット信号に周波数情報を付加し、逆パケット化部２４０において各CBR信号を逆パケット化する際にこの周波数情報を用いてクロック信号が復元されたCBR信号を生成することが可能となる。
【００３５】
次に、図１０〜１１を参照して、本発明の第３実施例によるクロスコネクト装置を説明する。本実施例では、クロスコネクト装置は、データ数を計数することによってCBR信号のクロックを再生する。
【００３６】
図１０に示されるように、クロスコネクト装置３００は、１以上の受信部３１０（３１００，３１０１，３１０２，・・・）と、１以上のパケット化部３２０（３２００，３２０１，３２０２，・・・）と、パケットスイッチ部３３０と、１以上の逆パケット化部３４０（３４００，３４０１，３４０２，・・・）と、１以上の送信部３５０（３５００，３５０１，３５０２，・・・）と、１以上のデータカウント部３６０（３６００，３６０１，３６０２，・・・）と、１以上のクロック再生部３７０（３７００，３７０１，３７０２，・・・）とを有する。なお、受信部３１０と、パケット化部３２０と、パケットスイッチ部３３０と、送信部３５０とは、上述した第１実施例の受信部１１０と、パケットスイッチ部１３０と、送信部１５０と同様の構成及び動作を有するため、重複する説明は省く。
【００３７】
パケット化部３２０は、第１実施例のパケット化部１２０と同様に受信したCBR信号をパケット信号に変換しパケットスイッチ部３３０に出力するパケット化処理部１２２を備えているが、クロック抽出部１２４を備える必要はない。
【００３８】
逆パケット化部３４０は、パケットスイッチ部３３０からパケット信号を受信すると、受信したパケット信号を逆パケット化部３４０内の逆パケット化処理部３４２（図１１）に提供すると共に、対応するデータカウント部３６０に送信する。
【００３９】
データカウント部３６００，３６０１，３６０２，・・・は、パケットスイッチ部３３０の各ポートに対応して設けられる。各データカウント部３６０は、クロスコネクト装置３００内の共通クロックで一定時間において逆パケット化部３４０から受信したパケット信号内のデータ量を観測し、カウントされたデータ数と周波数偏差に対応したデータ数との比較を行う。より詳細には、データカウント部３６０は、図１１に示されるように、クロスコネクト装置３００内の共通クロックをカウントする第１カウンタ３６２と、逆パケット化部３４０から受信したパケット信号内のデータ数をカウントする第２カウンタ３６４と、第２カウンタ３６４からの出力結果を比較するコンパレータ３６６とを有する。
【００４０】
第１カウンタ３６２は、所定のカウント数を超えると、第２カウンタ３６４へ測定開始を指定する信号を出力する。第１カウンタ３６２から測定開始の信号を受信すると、第２カウンタ３６４は、受信時点までにカウントされたパケット信号内のデータ数をコンパレータ３６６へ出力し、第２カウンタ３６４内のカウンタをリセットして再びカウントを始める。
【００４１】
例えば、クロスコネクト装置３００内の共通クロックを100MHzとし、第１カウンタ３６２のカウント数を10000とした場合、100μs周期で第２カウンタ３６４のカウンタ値が更新される。第２カウンタ３６４は、第１カウンタ３６２から測定開始の信号を受信し、次の測定開始の信号を受信するまで、パケット信号内のデータ数をカウントし、コンパレータ３６６に出力する。コンパレータ３６６は、予めCBR信号のクロックとクロスコネクト装置３００内の共通クロックの周波数偏差が0となる場合の値を保持する。例えば、CBR信号のクロックが70MHzだった場合、コンパレータ３６６で保持する値は7000とし、第２カウンタ３６４のカウンタ値が7000から１変化する毎に、周波数偏差が1÷10000=100ppm変化したことが分かる。コンパレータ３６６は、第２カウンタ３６４のカウンタ値とコンパレータ３６６の値とを比較し、周波数偏差に応じた制御信号を対応するクロック再生部３７０に出力する。
【００４２】
クロック再生部３７００，３７０１，３７０２，・・・は、パケットスイッチ部３３０の各ポートに対応して設けられる。各クロック再生部３７０は、対応するデータカウント部３６０から受信した制御信号に従ってCBR信号のクロックを再生し、対応する逆パケット化部３４０に送信する。クロック再生部３７０からクロックを受信すると、逆パケット化処理部３４２は、受信したクロックを用いてCBR信号を復元し、対応する送信部３５０に送信する。
【００４３】
本実施例によると、CBR信号のクロック再生を行なうために、クロスコネクト装置３００は、データカウント部３６０とクロック再生部３７０とにおいて再生されたクロックを用いてCBR信号を生成することが可能となる。
【００４４】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【００４５】
１００，２００，３００  クロスコネクト装置
１１０，２１０，３１０  受信部
１２０，２２０，３２０  パケット化部
１３０，２３０，３３０  パケットスイッチ部
１４０，２４０，３４０  逆パケット化部
１５０，２５０，３５０  送信部
１６０  クロックスイッチ部
３６０  データカウント部
３７０  クロック再生部
【図１】
0005419806.tif 000002
【図２】
0005419806.tif 000003
【図３】
0005419806.tif 000004
【図４】
0005419806.tif 000005
【図５】
0005419806.tif 000006
【図６】
0005419806.tif 000007
【図７】
0005419806.tif 000008
【図８】
0005419806.tif 000009
【図９】
0005419806.tif 000010
【図１０】
0005419806.tif 000011
【図１１】
0005419806.tif 000012